(57)【要約】      （修正有）【課題】中耳炎の予防及び治療が可能なイヤホンを提供する。【解決手段】イヤホンは、前方に延設される音導管１１１を有する凸部１１０が外周面に形成されるハウジング１０と、ハウジング１０の凸部１１０の内部に備えられ、音導管１１１へ音響を放出するスピーカー２０と、ハウジング１０の凸部１１０の内部に備えられ、光を発光する発光部３１０を有する基板３０と、ハウジング１０の内部に備えられ、スピーカー２０が放出する音響信号を受信するブルートゥースモジュールと、前記ブルートゥースモジュールが受信した音響信号をスピーカー２０が放出するように制御するとともに、スピーカー２０が音響信号を放出するときに発光部３１０が光を発光するように発光部３１０を制御する制御部とを含む。【選択図】図２
2019017000.tif 000002
【特許請求の範囲】
【請求項１】
前方に延設される音導管を有する凸部が外周面に形成されるハウジングと、
前記ハウジングの凸部の内部に備えられ、前記音導管へ音響を放出するスピーカーと、
前記ハウジングの凸部の内部に備えられ、光を発光する発光部を有する基板と、
前記ハウジングの内部に備えられ、前記スピーカーが放出する音響信号を受信するブルートゥースモジュールと、
前記ブルートゥースモジュールが受信した音響信号を前記スピーカーが放出するように制御するとともに、前記スピーカーが音響信号を放出するときに前記発光部が光を発光するように前記発光部を制御する制御部とを含んでなることを特徴とする、中耳炎の予防及び治療が可能なイヤホン。
【請求項２】
前記ハウジングの凸部の前側にホールが形成され、
前記基板の発光部は前記凸部のホール方向に光を発光することを特徴とする、請求項１に記載の中耳炎の予防及び治療が可能なイヤホン。
【請求項３】
前記ハウジングの音導管の前側にイヤチップが備えられ、
前記イヤチップの内周面に、前記凸部のホールを通過した光を内側へ反射させる反射層が形成されることを特徴とする、請求項２に記載の中耳炎の予防及び治療が可能なイヤホン。
【請求項４】
前記ハウジングの音導管の前側に、前記凸部のホールを通過した光を内側へ反射させる色を持つイヤチップが備えられることを特徴とする、請求項２に記載の中耳炎の予防及び治療が可能なイヤホン。
【請求項５】
前記ハウジングの凸部のホールは前記音導管の方向に傾くように形成されることを特徴とする、請求項２に記載の中耳炎の予防及び治療が可能なイヤホン。
【請求項６】
前記イヤチップの前側にホールが形成されることを特徴とする、請求項３または４に記載の中耳炎の予防及び治療が可能なイヤホン。
【請求項７】
前記音導管の内側に光ファイバーが備えられ、
前記基板の発光部は前記音導管の光ファイバーで光を発光することを特徴とする、請求項１に記載の中耳炎の予防及び治療が可能なイヤホン。
【発明の詳細な説明】
【技術分野】
【０００１】
本発明は、イヤホンの主要機能であるスピーカーを介した音響放出実行の際に発光部がユーザーの耳の中に光を自動的に照射するため、前記発光部を別途制御して作動させなければならない面倒がなくてユーザーの利便性が大幅に向上できるのはもとより、耳関連疾病、例えば中耳炎などの治療及び予防効率が大幅に向上でき、ひいては、ユーザーの耳の中に照射される光が特に真夜中に耳の外部方向に漏れ出るおそれがなくてユーザーの選好度が大きく向上できる、中耳炎の予防及び治療が可能なイヤホンに関する。
【背景技術】
【０００２】
一般に、中耳が細菌やウイルスに感染して発生する中耳炎は、様々な原因、例えば風邪やアレルギー、家族歴などによって発生するが、滲出液が膿性に変わりながら圧力が高くなって鼓膜を破裂させた後、外耳道に流れ出る。
【０００３】
・このように鼓膜に孔が生じて膿性分泌物が流れ出ると、破裂した鼓膜の間から排出された滲出液が固まってしまう。
【０００４】
・これにより、破裂した鼓膜が再生されない場合には難聴が発生する。
【０００５】
・中耳炎治療のために使用される治療装置、例えば遠赤外線治療器などは、特定の波長帯の光を耳の外部から照射して炎症を治療する。
【０００６】
最近では、紫外線ＬＥＤ光源を備えて人間の耳を殺菌及び抗菌する紫外線照射変換器が特許文献１に提案されている。
【０００７】
・しかし、前記特許文献１の紫外線照射変換器は、操作部を介してスピーカーと紫外線ＬＥＤの駆動をそれぞれ制御する方式であって、ユーザーが前記スピーカーを聞く過程中に前記紫外線ＬＥＤが駆動されるように前記操作部で前記紫外線ＬＥＤを別途制御しなければならない面倒があるうえ、ユーザーが前記紫外線ＬＥＤの駆動のための別途制御を忘れた場合には中耳炎を治療及び予防することができないという問題点がある。
【先行技術文献】
【特許文献】
【０００８】
【特許文献１】韓国登録特許第１０−０７１５０３２号公報
【発明の概要】
【発明が解決しようとする課題】
【０００９】
本発明は、上述した問題点を解決するためになされたもので、その目的は、イヤホンの主要機能であるスピーカーを介した音響放出の実行の際に発光部がユーザーの耳の中に光を自動的に照射するため、前記発光部を別途制御して作動させなければならない面倒がなくてユーザーの利便性が大幅に向上できるのはもとより、耳関連疾病、例えば中耳炎などの中耳炎などの治療及び予防効率が大幅に向上でき、ひいては、ユーザーの耳の中に照射される光が特に真夜中に耳の外部方向に漏れ出るおそれがなくてユーザーの選好度が大きく向上できる、中耳炎の予防及び治療が可能なイヤホンを提供することにある。
【課題を解決するための手段】
【００１０】
上記の目的を達成するための本発明は、前方に延設される音導管を有する凸部が外周面に形成されるハウジングと、前記ハウジングの凸部の内部に備えられ、前記音導管へ音響を放出するスピーカーと、前記ハウジングの凸部の内部に備えられ、光を発光する発光部を有する基板と、前記ハウジングの内部に備えられ、前記スピーカーが放出する音響信号を受信するブルートゥース（Ｂｌｕｅｔｏｏｔｈ）モジュールと、前記ブルートゥースモジュールが受信した音響信号を前記スピーカーが放出するように制御するとともに、前記スピーカーが音響信号を放出するときに前記発光部が光を発光するように前記発光部を制御する制御部とを含んでなることを特徴とする、中耳炎の予防及び治療が可能なイヤホンを提供する。
【００１１】
ここで、前記ハウジングの凸部の前側にホールが形成され、前記基板の発光部は前記凸部のホール方向に光を発光することが好ましい。
【００１２】
また、前記ハウジングの音導管の前側にイヤチップが備えられ、前記イヤチップの内周面に、前記凸部のホールを通過した光を内側に反射させる反射層が形成されることが好ましい。
【００１３】
・また、前記ハウジングの音導管の前側に、前記凸部のホールを通過した光を内側へ反射させる色を持つイヤチップが備えられることが好ましい。
【００１４】
・また、前記ハウジングの凸部のホールは、前記音導管の方向に傾くように形成されることが好ましい。
【００１５】
また、前記イヤチップの前側にホールが形成されることが好ましい。
【００１６】
また、前記音導管の内側に光ファイバーが備えられ、前記基板の発光部は前記音導管の光ファイバーで光を発光することが好ましい。
【発明の効果】
【００１７】
本発明は、イヤホンの主要機能であるスピーカーを介した音響放出の実行の際に発光部がユーザーの耳の中に光を自動的に照射するため、前記発光部を別途制御して作動させなければならない面倒がなくてユーザーの利便性が大幅に向上できるのはもとより、耳関連疾病、例えば中耳炎などの治療及び予防効率が大幅に向上でき、ひいては、ユーザーの耳の中に照射される光が特に真夜中に耳の外部方向に漏れ出るおそれがなくてユーザーの選好度が大きく向上できるという効果がある。
【図面の簡単な説明】
【００１８】
【図１】本発明の一実施例に係る中耳炎の予防及び治療が可能なイヤホンを概略的に示す側面である。
【図２】図１の一部拡大切開側面図である。
【図３】制御部の制御状態を概略的に示すブロック図である。
【図４】スピーカーと発光部の作動過程を順次示すフローチャートである。
【図５】イヤチップの内周面に反射層が形成された状態を概略的に示す一部拡大切開側面図である。
【図６】凸部のホールが音導管の方向に傾いた状態を概略的に示す一部拡大断面図である。
【図７】イヤチップの前側にホールが形成された状態を概略的に示す一部拡大断面図である。
【図８】音導管の内側に光ファイバーが備えられた状態を概略的に示す一部拡大断面図である。
【図９】図８のＡ−Ａ線に沿った断面図である。
【図１０】２つのハウジングが連結ラインによって連結された状態を概略的に示す側面図である。
【発明を実施するための形態】
【００１９】
・以下、本発明の好適な実施例を添付図面に基づいてより詳細に説明する。もちろん、本発明の権利範囲はこれらの実施例に限定されるものではない。本発明は、本発明の技術要旨を逸脱することなく、当該技術分野における通常の知識を有する者によって様々に変形実施できる。
【００２０】
図１は本発明の一実施例に係る中耳炎の予防及び治療が可能なイヤホンを概略的に示す側面図、図２は図１の一部拡大切開側面図である。
【００２１】
本発明の一実施例に係る中耳炎の予防及び治療が可能なイヤホンは、図１及び図２に示すように、ハウジング１０、スピーカー２０、基板３０、ブルートゥース（Ｂｌｕｅｔｏｏｔｈ）モジュール、及び制御部を含んでなる。
【００２２】
まず、前記ハウジング１０の上部の前側には、前記ハウジング１０の前側方向に突出する凸部１１０が形成される。
【００２３】
前記凸部１１０の前側外周面には、前記凸部１１０と連通するように、前記凸部１１０の前側外部方向に一定の長さだけ水平延長される音導管１１１が備えられる。
【００２４】
・一例として、前記音導管１１１を基準に、前記音導管１１１周辺の前記凸部１１０の前側にはホール１１２が放射状に等間隔で形成できる。
【００２５】
・前記スピーカー２０は、前記ハウジング１０の凸部１１０の内部中間部に備えられ、前記音導管１１１へＭＰ３などの音響を放出する。
【００２６】
・前記基板３０は、前記スピーカー２０の周辺に位置するように前記ハウジング１０の凸部１１０の内部に備えられる。
【００２７】
・前記基板３０には、前記凸部１１０のホール１１２方向に光を発光する発光部３１０が一定の間隔で備えられ得る。
【００２８】
・前記発光部３１０は、前記凸部１１０のホール１１２を介してユーザーの耳の中に耳関連疾病、例えば中耳炎などの治療のための可視光線帯域または赤外線帯域の光を照射する発光ダイオードなどの様々な種類から構成できる。
【００２９】
・図３は制御部の制御状態を概略的に示すブロック図、図４はスピーカーと発光部の作動過程を順次示すフローチャートである。
【００３０】
・前記ブルートゥース（Ｂｌｕｅｔｏｏｔｈ）モジュール４０は、前記ハウジング１０の内部に備えられる。
【００３１】
・前記ブルートゥースモジュール４０は、図３に示すように、スマートフォンなどの端末５と通信網を介して接続され、前記端末５から、前記スピーカー２０が放出する音響信号を受信する。
【００３２】
前記ハウジング１０の内部には、前記スピーカー２０、前記発光部３１０及び前記ブルートゥースモジュール４０へ電源を供給するためのバッテリー１２０が備えられてもよい。
【００３３】
前記制御部５０は、前記スピーカー２０と前記発光部３１０を制御する。
【００３４】
特に、図４に示すように、前記ハウジング１０に備えられたブルートゥースモジュール４０が、前記端末５に備えられたブルートゥースモジュールと通信網を介して無線で同期化された状態で、ユーザーが、前記端末５にインストールされたスピーカー作動関連アプリを実行して、前記アプリの操作ボタン、または、前記ハウジング１０に押圧式ボタン、ダイヤルボタンなどの様々な方式で備えられる操作ボタンによって前記スピーカー２０を作動させる場合、前記制御部５０の制御によって、前記スピーカー２０が音響を放出するとともに前記発光部３１０が光を発光するように前記発光部３１０を制御する。
【００３５】
このようにイヤホンの主要機能である前記スピーカー２０を介した音響放出の実行の際に、前記発光部３１０がユーザーの耳の中に光を自動的に照射するため、前記発光部３１０を別途制御して作動させなければならない面倒がなくてユーザーの利便性が大幅に向上できるのはもとより、耳関連疾病、例えば中耳炎などの治療及び予防効率が大幅に向上できるという利点がある。
【００３６】
・図５はイヤチップの内周面に反射層が形成された状態を概略的に示す一部拡大切開側面図である。
【００３７】
・前記ハウジング１０の音導管１１１の前側には、ユーザーの耳の中に固定され、前記発光部３１０の光が透過しうるシリコーンなどの様々な材質からなるイヤチップ１３０が備えられ得る。
【００３８】
・前記イヤチップ１３０の内周面には、前記凸部１１０のホール１１２を通過した光を前記イヤチップ１３０の内側へ反射させる反射層１３１が形成され得る。
【００３９】
・または、前記ハウジング１０の音導管１１１の前側には、ユーザーの耳の中に固定され、前記凸部１１０のホール１１２を通過した光を前記イヤチップ１３０の内側へ反射させる色を持つシリコーンなどの様々な材質からなるイヤチップ１３０が備えられ得る。
【００４０】
・一例として、前記イヤチップ１３０全体が、光を反射させることが可能な色、例えば白色などを呈してもよく、少なくとも前記イヤチップ１３０の内面部位が、光を反射させることが可能な色、例えば白色などを呈してもよい。
【００４１】
・このように前記イヤチップ１３０の内周面に前記反射層１３１が形成されるか、或いは前記イヤチップ１３０が光を反射させる色を持つ場合、ユーザーの耳の中に照射される光が前記イヤチップ１３０の内側に反射され、特に真夜中に耳の外部方向に光が漏れ出るおそれがないため、ユーザーの選好度が大きく向上できるという利点がある。
【００４２】
・図６は凸部のホールが音導管の方向に傾いた状態を概略的に示す一部拡大断面図である。
【００４３】
・前記発光部３１０の光がよりさらに高い効率でユーザーの耳の中の外部方向に漏れ出てくることを防止するために、前記発光部３１０の光が通過する前記ハウジング１０の凸部１１０のホール１１２は、図６に示すように、前記ホール１１２の後側から前側へ行くほど前記音導管１１１の方向に傾くように形成できる。
【００４４】
・図７はイヤチップの前側にホールが設けられた状態を概略的に示す一部拡大断面図である。
【００４５】
・ユーザーの耳の中に前記発光部３１０の光がより容易に照射できるようにするために、図７に示すように、前記イヤチップ１３０の前側には、光が通過し得るホール１３２が形成できる。
【００４６】
・前記イヤチップ１３０のホール１３２は、前記イヤチップ１３０の前側中心部を基準に、前記イヤチップ１３０の前側中心部周辺の前記イヤチップ１３０の前側に放射状に等間隔で形成できる。
【００４７】
図８は音導管の内側に光ファイバーが備えられた状態を概略的に示す一部拡大断面図、図９は図８のＡ−Ａ線に沿った断面図である。
【００４８】
別の例として、図８に示すように、前記音導管１１１の内側に前記音導管１１１に沿って一定の長さだけ水平延長される光ファイバー１１３が備えられ得る。
【００４９】
・前記光ファイバー１１３の前側の反対側である後側は、前記発光部３１０の方向に折り曲げられた状態で前記凸部１１０の内側に備えられ得る。
【００５０】
前記光ファイバー１１３は、図９に示すように、前記音導管１１１の内側に放射状に一定の間隔で複数備えられ得る。
【００５１】
・前記光ファイバー１１３は、中心部には屈折率の高いガラス、外部分には屈折率の低いガラスをそれぞれ用いて、中心部のガラスを通過する光が全反射するようにした光学繊維である。このような光ファイバー１１３は公知の事項なので、これについての詳細説明は省略する。
【００５２】
前記基板３０の発光部３１０は、前記光ファイバー１１３の後側方向に光を発光し、前記光ファイバー１１３は、前記発光部３１０が発光する光の輝度に応じて異なる発光をする。
【００５３】
このような前記光ファイバー１１３を介して前記発光部３１０の位置による光損失なしにユーザーの耳の中へ光を照射することができるため、耳関連疾病、例えば中耳炎などの治療効率がさらに向上できるという利点がある。
【００５４】
図１０は２つのハウジングが連結ラインによって連結された状態を概略的に示す側面図である。
【００５５】
図１０に示すように、前記ハウジング１０の下部と別の前記ハウジング１０の下部とはケーブルなどの連結ライン７によって互いに連結できる。
【００５６】
本発明の中耳炎の予防及び治療が可能なイヤホンは、人間のユーザーだけでなく、人間と一緒に暮らすペットなどの動物にも適用可能である。
【符号の説明】
【００５７】
・１０    ハウジング
２０    スピーカー
３０    基板
４０    ブルートゥースモジュール
５０    制御部
【図１】
2019017000.tif 000003
【図２】
2019017000.tif 000004
【図３】
2019017000.tif 000005
【図４】
2019017000.tif 000006
【図５】
2019017000.tif 000007
【図６】
2019017000.tif 000008
【図７】
2019017000.tif 000009
【図８】
2019017000.tif 000010
【図９】
2019017000.tif 000011
【図１０】
2019017000.tif 000012